(57)【要約】      （修正有）【課題】組み立て時における設置スペースの削減だけでなく、収納時における収納スペースの削減も可能なクリスマスツリーを提供する。【解決手段】平面視半円形で正面視三角形の半円錐形になるようにワイヤー１１を螺旋状に巻いて螺旋部の各ワイヤー間を所定間隔のもとに吊り糸１２で接続した折り畳み可能なツリー骨格部１と、先端でツリー骨格部を支持する支柱２と、支柱の下端を差し込んで支柱を立設するスタンドとを備え、支柱は、複数本に分割及び組み立て可能であり、スタンドは、４本の脚部３１、３２、３３、３４を備え、そのうちの１本３１が他の３本より支柱からの突出長さが短く形成され、ワイヤーに沿ってもみの木の葉っぱ状の装飾が巻き付けられている。【選択図】図１
0003194965.tif 000002
【実用新案登録請求の範囲】
【請求項１】
平面視半円形で正面視三角形の半円錐形になるようにワイヤーを螺旋状に巻いて螺旋部の各ワイヤー間を所定間隔のもとに釣り糸で接続した折り畳み可能なツリー骨格部と、先端でツリー骨格部を支持する支柱と、該支柱の下端を差し込んで支柱を立設するスタンドとを備え、
前記支柱は、複数本に分割及び組み立て可能であり、
前記スタンドは、４本の脚部を備え、そのうちの１本が他の３本より支柱からの突出長さが短く形成され、
前記ツリー骨格部のワイヤーに沿ってもみの木の葉っぱ状の装飾が巻き付けられていることを特徴とするクリスマスツリー。
【考案の詳細な説明】
【技術分野】
【０００１】
本考案は、クリスマスツリーに関する。
【背景技術】
【０００２】
従来、樹木部は幹に沿った立平面位置を背面にしてその背面から前方の領域に複数本の枝を配置し、鉢部の背面を樹木の背面と位置揃えした構成とすることで、クリスマスツリーを壁面などの立面に沿う状態で設置させ、設置スペースの削減を図るようにしたものが知られている（例えば、特許文献１参照。）。
【先行技術文献】
【特許文献】
【０００３】
【特許文献１】特開２００１−１７３０７号公報
【考案の概要】
【考案が解決しようとする課題】
【０００４】
しかしながら、従来例のクリスマスツリーにあっては、上述のように、組み立て状態における設置スペースの削減が可能であるが、樹木部の体積が大きいため、収納時における収納スペースの削減については何らの考慮がなされたものではなかった。
【０００５】
すなわち、樹木部は、複数に分割可能な構造であるが、分割されたそれぞれの樹木部の体積が大きいため、広い収納スペースを必要とするという問題がある。
【０００６】
本考案の解決しようとする課題は、組み立て時における設置スペースの削減だけでなく、収納時における収納スペースの削減が可能なクリスマスツリーを提供することにある。
【課題を解決するための手段】
【０００７】
上記課題を解決するため請求項１記載のクリスマスツリーは、
平面視半円形で正面視三角形の半円錐形になるようにワイヤーを螺旋状に巻いて螺旋部の各ワイヤー間を所定間隔のもとに吊り糸で接続した折り畳み可能なツリー骨格部と、先端でツリー骨格部を支持する支柱と、該支柱の下端を差し込んで支柱を立設するスタンドとを備え、
前記支柱は、複数本に分割及び組み立て可能であり、
前記スタンドは、４本の脚部を備え、そのうちの１本が他の３本より支柱からの突出長さが短く形成され、
前記ツリー骨格部のワイヤーに沿ってもみの木の葉っぱ状の装飾が巻き付けられていることを特徴とする手段とした。
【考案の効果】
【０００８】
請求項１記載のクリスマスツリーでは、上述のように、ツリー骨格部の形状を、平面視半円形で正面視三角形の半円錐形になるようにし、かつ、スタンドは、４本の脚部を備え、そのうちの１本が他の３本より支柱からの突出長さが短く形成された構成としたことで、クリスマスツリーを壁面に密着させて設置させることができ、これにより設置スペースの削減が可能になるという効果が得られる。
【０００９】
また、ツリー骨格部は、ワイヤーを螺旋状に巻いて螺旋部の各ワイヤー間を所定間隔のもとに吊り糸で接続した折り畳み可能な構造としたため、収納時におけるスペースの削減が可能になるという効果が得られる。
【図面の簡単な説明】
【００１０】
【図１】実施例１のクリスマスツリーの装飾を省略した組み立て時の状態を示す斜視図である。
【図２】実施例１のクリスマスツリーの装飾を省略した組み立て時の状態を示す正面図である。
【図３】実施例１のクリスマスツリーの装飾を省略した組み立て時の状態を示す側面図である。
【図４】実施例１のクリスマスツリーの装飾を省略した組み立て時の状態を示す平面図である。
【図５】実施例１のクリスマスツリーにおけるツリー骨格部の折り畳み状態を示す平面図である。
【図６】実施例１のクリスマスツリーにおけるスタンドを示す拡大斜視図である。
【図７】実施例１のクリスマスツリーの組み立て手順を示す斜視図である。
【考案を実施するための形態】
【００１１】
以下にこの考案の実施例を説明する。
【実施例１】
【００１２】
まず、この実施例１のクリスマスツリーを図１〜６に基づいて説明する。
このクリスマスツリーは、ツリー骨格部１と、支柱２と、スタンド３とを主な構成として備えている。
【００１３】
さらに詳述すると、前記ツリー骨格部１は、平面視半円形で正面視三角形の半円錐形になるようにワイヤー１１を螺旋状に巻いて螺旋部の各ワイヤー１１、１１間を所定間隔のもとに吊り糸１２で接続した折り畳み可能な構成となっている。
【００１４】
前記支柱２は、先端でツリー骨格部１の上端部を内部から支持してツリー骨格部１を展開させるもので、図７に示すように、ツリー骨格部１の上端部の内部には支柱２の上端部を差し込む差込管１３が備えられている。
また、この支柱１は３本に分割され、差込形式で分割及び組み立て可能となっている。
【００１５】
前記スタント３は、支柱２の下端を差し込んで支柱２を立設するもので、図６に示すように、４本の脚部３１、３２、３３、３４を備え、そのうちの１本３１が他の３本３２、３３、３４より支柱２からの突出長さが短く形成されている。
また、スタンド３の支柱部には支柱２の下端を差し込み装着する差込管３５が備えられており、この差込管３５の側面３箇所には、差し込んだ支柱２の下端の回転及び抜け落ちを阻止する締め付けねじ３６が備えられている。
【００１６】
なお、図１〜６では省略したが、図７に示すように、ツリー骨格部１のワイヤー１１に沿ってもみの木の葉っぱ状の装飾１４が巻き付けられていると共に、リボンや電飾などの装飾が施されている。
【００１７】
次に、この実施例１のクリスマスツリーの組み立て手順を図７に基づいて説明する。
【００１８】
まず、３本に分割された支柱２を繋ぎ合わせて、その下端をスタンド３の差込管３５に差し込み、締め付けねじ３６を締めて支柱２を固定する。
次に、ツリー骨格部１を支柱２の上端から被せるように装着して、支柱２の上端をツリー骨格部１の上端部の内部に備えた差込管１３に差込装着することにより、ツリー骨格部１が半円錐形に展開し、これによりクリスマスツリーの組み立てを完了する。
【００１９】
次に、この実施例１の効果を説明する。
この実施例１のクリスマスツリーでは、上述のように、ツリー骨格部１の形状を、平面視半円形で正面視三角形の半円錐形になるようにし、かつ、スタンド３は、４本の脚部３１、３２、３３、３４を備え、そのうちの１本３１が他の３本３２、３３、３４より支柱２からの突出長さが短く形成された構成としたことで、クリスマスツリーを壁面に密着させて設置させることができ、これにより設置スペースの削減が可能になるという効果が得られる。
【００２０】
また、ツリー骨格部１は、ワイヤー１１を螺旋状に巻いて螺旋部の各ワイヤー１１、１１間を所定間隔のもとに吊り糸１２で接続した折り畳み可能な構造としたため、収納時におけるスペースの削減が可能になるという効果が得られる。
【００２１】
以上本実施例を説明してきたが、本考案は上述の実施例に限られるものではなく、本考案の要旨を逸脱しない範囲の設計変更等があっても、本考案に含まれる。
【符号の説明】
【００２２】
１  ツリー骨格部
１１  ワイヤー
１２  吊り糸
１３  差込管
１４  装飾
２  支柱
３  スタンド
３１  脚部
３２  脚部
３３  脚部
３４  脚部
３５  差込管
３６  締め付けねじ
【図１】
0003194965.tif 000003
【図２】
0003194965.tif 000004
【図３】
0003194965.tif 000005
【図４】
0003194965.tif 000006
【図５】
0003194965.tif 000007
【図６】
0003194965.tif 000008
【図７】
0003194965.tif 000009